(57)【要約】      （修正有）【課題】全体が小型で、大口径比で、全ズーム範囲にわたり高い光学性能が得られるズームレンズを提供する。【解決手段】正、負の屈折力の第１レンズ群Ｌ１、第２レンズ群Ｌ２、１つ以上のレンズ群を含む後群よりなり、ズーミングに際して隣り合うレンズ群の間隔が変化するズームレンズにおいて、全ズーム範囲において後群の屈折力は正であり、後群は最も物体側に正の屈折力の部分系ＬＲｐ１、部分系ＬＲｐ１の像側に開口絞り、開口絞りと像面の間に１つ以上の負の屈折力の部分系を有し、広角端に比べて望遠端において、第１レンズ群と開口絞りは物体側に位置し、広角端における第１レンズ群から開口絞りまでのレンズ系よりなる前方系の合成焦点距離ｆｓｓＦｗ、広角端における第１レンズ面から開口絞りまでの光軸上の距離の絶対値ＬｓｓＦｗ、第１レンズ群の焦点距離ｆ１、広角端における全系の焦点距離ｆｗが、特定の条件式を満足する。【選択図】図１
2016126226.tif 000002
【特許請求の範囲】
【請求項１】
物体側から像側へ順に、正の屈折力の第１レンズ群、負の屈折力の第２レンズ群、１つ以上のレンズ群を含む後群よりなり、ズーミングに際して隣り合うレンズ群の間隔が変化するズームレンズにおいて、
全ズーム範囲において前記後群の屈折力は正であり、前記後群は最も物体側に正の屈折力の部分系ＬＲｐ１、前記部分系ＬＲｐ１の像側に開口絞り、前記開口絞りと像面の間に１つ以上の負の屈折力の部分系を有し、
広角端に比べて望遠端において、前記第１レンズ群と前記開口絞りは、物体側に位置し、
広角端における前記第１レンズ群から前記開口絞りまでのレンズ系よりなる前方系の合成焦点距離をｆｓｓＦｗ、広角端における第１レンズ面から前記開口絞りまでの光軸上の距離の絶対値をＬｓｓＦｗ、前記第１レンズ群の焦点距離をｆ１、広角端における全系の焦点距離をｆｗとするとき、
０．００＜ｆｓｓＦｗ／ＬｓｓＦｗ＜０．７５
３．０＜ｆ１／ｆｗ＜２０．０
なる条件式を満足することを特徴とするズームレンズ。
【請求項２】
広角端における、前記開口絞りより像側のレンズ系よりなる後方系の合成横倍率をβｓｓＲｗとするとき、
０．５＜βｓｓＲｗ＜１．５
なる条件式を満足することを特徴とする請求項１に記載のズームレンズ。
【請求項３】
前記第２レンズ群の焦点距離をｆ２とするとき、
０．８＜｜ｆ２｜／ｆｗ＜２．０
なる条件式を満足することを特徴とする請求項１または２に記載のズームレンズ。
【請求項４】
前記部分系ＬＲｐ１の焦点距離をｆＲｐ１とするとき、
０．８＜ｆＲｐ１／ｆｗ＜２．５
なる条件式を満足することを特徴とする請求項１乃至３のいずれか１項に記載のズームレンズ。
【請求項５】
広角端における全系の空気換算でのバックフォーカスをｓｋｗとするとき、
０．１＜ｓｋｗ／ｆｗ＜１．０
なる条件式を満足することを特徴とする請求項１乃至４のいずれか１項に記載のズームレンズ。
【請求項６】
前記第２レンズ群は最も物体側に負レンズＧ２１ｎを有し、該負レンズＧ２１ｎの物体側のレンズ面の曲率半径をＲ２ｎａ、該負レンズＧ２１ｎの像側のレンズ面の曲率半径をＲ２ｎｂとするとき、
−１．５＜（Ｒ２ｎｂ＋Ｒ２ｎａ）／（Ｒ２ｎｂ−Ｒ２ｎａ）＜−０．５
なる条件式を満足することを特徴とする請求項１乃至５のいずれか１項に記載のズームレンズ。
【請求項７】
前記部分系ＬＲｐ１は２枚以上の正レンズと、１枚以上の負レンズを有することを特徴とする請求項１乃至６のいずれか１項に記載のズームレンズ。
【請求項８】
前記部分系ＬＲｐ１は、物体側から像側へ順に、１つの正レンズよりなる部分系ＬＲｐ１ａ、１つの正レンズと１つの負レンズよりなる部分系ＬＲｐ１ｂを有し、前記部分系ＬＲｐ１ａの焦点距離をｆＲｐ１ａ、前記部分系ＬＲｐ１ｂの焦点距離をｆＲｐ１ｂとするとき、
−１．０＜ｆＲｐ１ａ／ｆＲｐ１ｂ＜−０．１
なる条件式を満足することを特徴とする請求項１乃至７のいずれか１項に記載のズームレンズ。
【請求項９】
前記後群は最も像側に、負の屈折力の最終部分系を有することを特徴とする請求項１乃至８のいずれか１項に記載のズームレンズ。
【請求項１０】
前記最終部分系の焦点距離をｆＲｎ２とするとき、
１．０＜｜ｆＲｎ２｜／ｆｗ＜５．０
なる条件式を満足することを特徴とする請求項９に記載のズームレンズ。
【請求項１１】
前記最終部分系は単レンズよりなることを特徴とする請求項９または１０に記載のズームレンズ。
【請求項１２】
前記後群は、物体側から像側へ順に、正の屈折力の部分系ＬＲｐ１、開口絞り、負の屈折力の部分系ＬＲｎ１、正の屈折力の部分系ＬＲｐ２、負の屈折力の部分系ＬＲｎ２よりなることを特徴とする請求項１乃至１１のいずれか１項に記載のズームレンズ。
【請求項１３】
広角端から望遠端へのズーミングに際し、前記開口絞りは前記部分系ＬＲｐ１と同じ軌跡で物体側へ移動することを特徴とする請求項１２に記載のズームレンズ。
【請求項１４】
ズーミングに際し、前記部分系ＬＲｐ１と前記部分系ＬＲｎ１の間隔、前記部分系ＬＲｎ１と前記部分系ＬＲｐ２との間隔、前記部分系ＬＲｐ２と前記部分系ＬＲｎ２の間隔が変化することを特徴とする請求項１２または１３に記載のズームレンズ。
【請求項１５】
ズーミングに際し、前記部分系ＬＲｐ１と前記部分系ＬＲｎ１との間隔、前記部分系ＬＲｎ１と前記部分系ＬＲｐ２との間隔が変化することを特徴とする請求項１２または１３に記載のズームレンズ。
【請求項１６】
ズーミングに際して前記部分系ＬＲｐ２と前記部分系ＬＲｎ２は同じ軌跡で移動し、前記部分系ＬＲｐ２と前記部分系ＬＲｎ２の合成焦点距離をｆＲｐｎとするとき、
１．５＜ｆＲｐｎ／ｆｗ＜１０．０
なる条件式を満足することを特徴とする請求項１５に記載のズームレンズ。
【請求項１７】
ズーミングに際して前記部分系ＬＲｐ１、前記部分系ＬＲｎ１、前記部分系ＬＲｐ２、前記部分系ＬＲｎ２は同じ軌跡で移動することを特徴とする請求項１２または１３に記載のズームレンズ。
【請求項１８】
請求項１乃至１７のいずれか１項に記載のズームレンズと該ズームレンズによって形成された像を受光する固体撮像素子とを有することを特徴とする撮像装置。
【発明の詳細な説明】
【技術分野】
【０００１】
本発明は、ズームレンズ及びそれを有する撮像装置に関し、ビデオカメラ、デジタルスチルカメラ、ＴＶカメラ、監視用カメラ等の撮像素子を用いた電子カメラやフィルム用カメラ等の撮像装置に用いられる撮像光学系として好適なものである。
【背景技術】
【０００２】
近年、撮像素子を用いた撮像装置は高機能化され、又、装置全体が小型化されている。また撮像装置に用いられる撮像素子は高感度及び大型化されている。それに対応して撮像装置に用いられる撮像光学系には、全画面範囲にわたり高い光学性能を有すること、また開放Ｆｎｏが明るいこと（大口径比）等が求められている。さらにレンズ全長が短く、全系が小型で明るいＦナンバーにもかかわらず、開口絞りの開口径がなるべく小さなこと等が要求されている。
【０００３】
従来、全系が小型で明るいズームレンズが知られている（特許文献１乃至３）。特許文献１では物体側から像側へ順に、正、負、正、負、正の屈折力の第１レンズ群乃至第５レンズ群よりなり、ズーミングに際して各レンズ群が移動し、隣り合うレンズ群の間隔が変化する５群ズームレンズを開示している。
【０００４】
特許文献２では物体側より像側へ順に、正、負、正、負、正，負の屈折力の第１レンズ群乃至第６レンズ群より成り、ズーミングに際して各レンズ群が移動し、隣り合うレンズ群の間隔が変化する６群ズームレンズを開示している。特許文献３では物体側から像側へ順に、正、負、正の屈折力の第１レンズ群乃至第３レンズ群よりなり、ズーミングに際して第２、第３レンズ群が移動し、隣り合うレンズ群の間隔が変化する３群ズームレンズを開示している。
【先行技術文献】
【特許文献】
【０００５】
【特許文献１】特開２０１４−２９３７５号公報
【特許文献２】特開平７−７７６５６号公報
【特許文献３】特開２０１３−８８７８２号公報
【発明の概要】
【発明が解決しようとする課題】
【０００６】
撮像装置に使用されるズームレンズには、全系が小型で明るく（大口径比）、ズーム全域において高い光学性能を有していることが要望されている。前述したズームレンズにおいて、大口径比化とレンズ系全体の小型化を図りつつ、良好な光学性能を得るには各レンズ群の屈折力やレンズ構成、そして光学系中における開口絞りの位置などを適切に設定することが重要となる。
【０００７】
特に所定の明るさのＦナンバーを有しつつ、開口絞りの開口径の増大を軽減しつつ、全系の小型化を図るには開口絞りよりも物体側のレンズ系や開口絞りよりも像側のレンズ系のレンズ構成等を適切に設定することが重要となる。これらの構成を適切に設定しないと、全系の小型化を図りつつ、大口径比で高い光学性能のズームレンズを得るのが難しくなってくる。
【０００８】
本発明は、全体が小型で、大口径比で、しかも全ズーム範囲にわたり高い光学性能が得られるズームレンズ及びそれを有する撮像装置の提供を目的とする。
【課題を解決するための手段】
【０００９】
本発明のズームレンズは、物体側から像側へ順に、正の屈折力の第１レンズ群、負の屈折力の第２レンズ群、１つ以上のレンズ群を含む後群よりなり、ズーミングに際して隣り合うレンズ群の間隔が変化するズームレンズにおいて、全ズーム範囲において前記後群の屈折力は正であり、前記後群は最も物体側に正の屈折力の部分系ＬＲｐ１、前記部分系ＬＲｐ１の像側に開口絞り、前記開口絞りと像面の間に１つ以上の負の屈折力の部分系を有し、広角端に比べて望遠端において、前記第１レンズ群と前記開口絞りは、物体側に位置し、広角端における前記第１レンズ群から前記開口絞りまでのレンズ系よりなる前方系の合成焦点距離をｆｓｓＦｗ、広角端における第１レンズ面から前記開口絞りまでの光軸上の距離の絶対値をＬｓｓＦｗ、前記第１レンズ群の焦点距離をｆ１、広角端における全系の焦点距離をｆｗとするとき、
０．００＜ｆｓｓＦｗ／ＬｓｓＦｗ＜０．７５
３．０＜ｆ１／ｆｗ＜２０．０
なる条件式を満足することを特徴としている。
【発明の効果】
【００１０】
本発明によれば、全体が小型で、大口径比で、しかも全ズーム範囲にわたり高い光学性能が得られるズームレンズが得られる。
【図面の簡単な説明】
【００１１】
【図１】実施例１の広角端におけるレンズ断面図
【図２】（Ａ）、（Ｂ）、（Ｃ）  実施例１の広角端、中間のズーム位置、望遠端における無限遠合焦時の縦収差図
【図３】実施例２の広角端におけるレンズ断面図
【図４】（Ａ）、（Ｂ）、（Ｃ）  実施例２の広角端、中間のズーム位置、望遠端における無限遠合焦時の縦収差図
【図５】実施例３の広角端におけるレンズ断面図
【図６】（Ａ）、（Ｂ）、（Ｃ）  実施例３の広角端、中間のズーム位置、望遠端における無限遠合焦時の縦収差図
【図７】実施例４の広角端におけるレンズ断面図
【図８】（Ａ）、（Ｂ）、（Ｃ）  実施例４の広角端、中間のズーム位置、望遠端における無限遠合焦時の縦収差図
【図９】実施例５の広角端におけるレンズ断面図
【図１０】（Ａ）、（Ｂ）、（Ｃ）  実施例５の広角端、中間のズーム位置、望遠端における無限遠合焦時の縦収差図
【図１１】実施例６の広角端におけるレンズ断面図
【図１２】（Ａ）、（Ｂ）、（Ｃ）  実施例６の広角端、中間のズーム位置、望遠端における無限遠合焦時の縦収差図
【図１３】本発明のズームレンズを備えるカメラ（撮像装置）の要部概略図
【発明を実施するための形態】
【００１２】
以下に、本発明の好ましい実施の形態を、添付の図面に基づいて詳細に説明する。本発明のズームレンズは、物体側から像側へ順に、正の屈折力の第１レンズ群、負の屈折力の第２レンズ群、１つ以上のレンズ群を含む後群よりなり、ズーミングに際して隣り合うレンズ群の間隔が変化する。
【００１３】
図１は、本発明の実施例１のズームレンズの広角端（短焦点距離端）におけるレンズ断面図である。図２（Ａ）、（Ｂ）、（Ｃ）はそれぞれ本発明の実施例１のズームレンズの広角端、中間のズーム位置、望遠端（長焦点距離端）における無限遠物体合焦時の縦収差図である。実施例１はズーム比４．７４、Ｆナンバー２．４７〜４．８２のズームレンズである。
【００１４】
図３は、本発明の実施例２のズームレンズの広角端におけるレンズ断面図である。図４（Ａ）、（Ｂ）、（Ｃ）はそれぞれ本発明の実施例２のズームレンズの広角端、中間のズーム位置、望遠端における無限遠物体合焦時の縦収差図である。実施例２はズーム比４．７２、Ｆナンバー２．０６〜５．７６のズームレンズである。
【００１５】
図５は、本発明の実施例３のズームレンズの広角端におけるレンズ断面図である。図６（Ａ）、（Ｂ）、（Ｃ）はそれぞれ本発明の実施例３のズームレンズの広角端、中間のズーム位置、望遠端における無限遠物体合焦時の縦収差図である。実施例３はズーム比４．７１、Ｆナンバー２．０６〜５．０４のズームレンズである。
【００１６】
図７は、本発明の実施例４のズームレンズの広角端におけるレンズ断面図である。図８（Ａ）、（Ｂ）、（Ｃ）はそれぞれ本発明の実施例４のズームレンズの広角端、中間のズーム位置、望遠端における無限遠物体合焦時の縦収差図である。実施例４はズーム比４．７１、Ｆナンバー２．０６〜５．０４のズームレンズである。
【００１７】
図９は、本発明の実施例５のズームレンズの広角端におけるレンズ断面図である。図１０（Ａ）、（Ｂ）、（Ｃ）はそれぞれ本発明の実施例５のズームレンズの広角端、中間のズーム位置、望遠端における無限遠物体合焦時の縦収差図である。実施例５はズーム比４．７１、Ｆナンバー２．０６〜５．０４のズームレンズである。
【００１８】
図１１は、本発明の実施例６のズームレンズの広角端におけるレンズ断面図である。図１２（Ａ）、（Ｂ）、（Ｃ）はそれぞれ本発明の実施例６のズームレンズの広角端、中間のズーム位置、望遠端における無限遠物体合焦時の縦収差図である。実施例６はズーム比３．９６、Ｆナンバー２．４７〜５．７６のズームレンズである。
【００１９】
図１３は本発明のズームレンズを備えるカメラ（撮像装置）の要部概略図である。各実施例のズームレンズはビデオカメラ、デジタルカメラ、ＴＶカメラ、監視カメラ、そして銀塩フィルムカメラ等の撮像装置に用いられる撮像光学系である。レンズ断面図において、左方が物体側（前方）で、右方が像側（後方）である。レンズ断面図において、ｉは物体側から数えたときのレンズ群の順番を示し、Ｌｉは第ｉレンズ群である。ＬＲは１つ以上のレンズ群を含む後群であり、全ズーム範囲において全体として正の屈折力を有する。ＳＳは開口絞りである。
【００２０】
ＩＰは像面であり、ビデオカメラやデジタルスチルカメラの撮影光学系として使用する際にはＣＣＤセンサやＣＭＯＳセンサなどの固体撮像素子（光電変換素子）の撮像面に相当し、銀塩フィルム用カメラのときはフィルム面に相当する。レンズ断面図において矢印は広角端から望遠端へのズーミングにおける各レンズ群の移動軌跡を示している。
【００２１】
球面収差図においてｄはｄ線，ｇはｇ線である。非点収差図においてΔＭはメリディオナル像面、ΔＳはサジタル像面である。倍率色収差においてｇはｇ線である。ωは半画角（度）、ＦｎｏはＦナンバーである。尚、以下の各実施例において広角端と望遠端は変倍用のレンズ群が機構上光軸上を移動可能な範囲の両端に位置したときのズーム位置をいう。
【００２２】
本発明のズームレンズは、物体側から像側へ順に、正の屈折力の第１レンズ群Ｌ１、負の屈折力の第２レンズ群Ｌ２、１つ以上のレンズ群を含む後群ＬＲより構成される。後群ＬＲの屈折力は、ズーム全域にて正である。また、後群ＬＲは、物体側から像側へ順に、正の屈折力の部分系ＬＲｐ１、開口絞りＳＳを有し、開口絞りＳＳと像面ＩＰの間に１つ以上の負の屈折力の部分系ＬＲｎを有する。
【００２３】
ここで、開口絞りＳＳの物体側には主に正の屈折力のレンズ系を配置し、開口絞りＳＳの像側に負の屈折力のレンズ系を配置することにより、光学系全系として望遠型の配置をとっている。これにより、ズーム全域においてレンズ全長を短縮している。ここでレンズ全長は第１レンズ面から最終レンズ面までの距離に空気換算でのバックフォーカスを加えた値である。
【００２４】
また、第１レンズ群Ｌ１と開口絞りＳＳは、広角端に比べて望遠端において、物体側に位置する構成としている。ここで、第１レンズ群Ｌ１をズーミングに際して可動とすることにより、広角端において第１レンズ群Ｌ１をより像側に配置する構成として広画角化を図りつつ、前玉有効径の増大を抑制するとともに、高ズーム比を実現している。また、広角端から望遠端へのズーミングに際し、開口絞りＳＳを物体側へ移動することにより、望遠端における前玉有効径の増大を抑制している。
【００２５】
広角端における第１レンズ群Ｌ１から開口絞りＳＳまでのレンズ系よりなる前方系ＬＦＦの合成焦点距離をｆｓｓＦｗとする。広角端における第１レンズ面から開口絞りＳＳまでの光軸上の距離の絶対値をＬｓｓＦｗとする。第１レンズ群Ｌ１の焦点距離をｆ１、広角端における全系の焦点距離をｆｗとする。このとき、
０．００＜ｆｓｓＦｗ／ＬｓｓＦｗ＜０．７５  ・・・（１）
３．０＜ｆ１／ｆｗ＜２０．０                ・・・（２）
なる条件式を満足する。
【００２６】
次に前述の各条件式の技術的意味について説明する。条件式（１）は、大口径化したとき、開口絞りＳＳの開口径の増大を抑制するための条件式である。
【００２７】
ズームレンズを大口径化しつつ鏡筒を含めたズームレンズを小型化する場合、開口絞りＳＳの開口径いかに抑制するかが重要な課題となる。光学系のＦナンバーと焦点距離を決定すると入射瞳径が定まる。ここで、入射瞳は開口絞りより物体側に配置されたレンズ群による開口絞りの像と定義される。つまり本発明のズームレンズでは、入射瞳は開口絞りＳＳより物体側に配置された前方系ＬＦＦ（合成焦点距離は正）の作る開口絞りＳＳの虚像が入射瞳となる。
【００２８】
ゆえに、絞り径を制御するためには、開口絞りＳＳより物体側に配置された前方系ＬＦＦの屈折力と、開口絞りＳＳの配置を適切に配置することが重要となる。つまり、開口絞りＳＳより物体側に配置された前方系ＬＦＦの正の合成屈折力をより強め、第１レンズ面から開口絞りＳＳまでの距離がより大きい配置として、虚像の倍率を大きくすることにより開口絞りＳＳの開口径の小型化を実現している。
【００２９】
条件式（１）の下限を超えると、開口絞りＳＳより物体側に配置された前方系ＬＦＦの焦点距離に比して第１レンズ面から開口絞りＳＳまでの距離が長くなりすぎる。このとき、全系の広角端において開口絞りＳＳが極端に像側に配置される構成となり、前玉有効径が増大してしまう。若しくは、開口絞りＳＳより物体側に配置された前方系ＬＦＦの焦点距離が短くなりすぎるため、とくにズーム全域において像面湾曲の変動の補正が困難となる。
【００３０】
一方、上限を超えると、開口絞りＳＳより物体側に配置されたレンズ群の焦点距離に比して第１レンズ面から開口絞りＳＳまでの距離が短くなりすぎる。このとき、ズームレンズを大口径化しようとすると、開口絞りＳＳの開口径の小型化が困難となる。
【００３１】
条件式（２）は、広角端における全系の焦点距離と第１レンズ群Ｌ１の焦点距離の比を規定する。ここで、広角端から望遠端へのズーミングに際し、第１レンズ群Ｌ１を物体側に移動するとともに条件式（２）を満足する構成とすることにより前玉有効径の小型化とレンズ全長の短縮化を図っている。
【００３２】
条件式（２）の下限を超えて、広角端における全系の焦点距離に比べて第１レンズ群Ｌ１の焦点距離が短くなりすぎると、条件式（１）を満足するレンズ構成においては、広角端での入射瞳位置がより像側に配置される構成となる。このため前玉有効径が増大してしまう。一方、上限を超えると、広角端における全系の焦点距離に比べて第１レンズ群Ｌ１の焦点距離が長くなりすぎるため、所望のズーム比を実現しようとしたとき、第１レンズ群Ｌ１の移動量が増大し、レンズ全長が長くなり、全系が大型化してくる。
【００３３】
各実施例において、より好ましくは、条件式（１）、（２）の数値範囲を次の如く設定するのが良い。
０．１０＜ｆｓｓＦｗ／ＬｓｓＦｗ＜０．５５  ・・・（１ａ）
３．５＜ｆ１／ｆｗ＜１５．０                ・・・（２ａ）
各実施例において、さらに好ましくは、条件式（１ａ）、（２ａ）の数値範囲を次の如く設定するのが良い。
【００３４】
０．２０＜ｆｓｓＦｗ／ＬｓｓＦｗ＜０．３５  ・・・（１ｂ）
４．０＜ｆ１／ｆｗ＜８．０                  ・・・（２ｂ）
以上の構成により、大口径比化を図りつつ、開口絞りＳＳの絞り径の小型化を図り、良好なる光学性能を有する、ズームレンズを実現している。
【００３５】
次に、本発明におけるより好ましい構成について説明する。後群ＬＲの最も物体側に配置された正の屈折力の部分系ＬＲｐ１は、２枚以上の正レンズと、１枚以上の負レンズを有するのが良い。これによれば条件式（１）を満たす屈折力配置において、強い正の屈折力を有する後群ＬＲのレンズ構成を最適化し、ペッツバール和を補正し、ズーム全域において球面収差を良好に補正するのが容易となる。
【００３６】
また、部分系ＬＲｐ１は、物体側から像側へ順に、１つの正レンズよりなる部分系ＬＲｐ１ａ、１つの正レンズと１つの負レンズよりなる部分系ＬＲｐ１ｂを有する構成が良い。この構成によれば、ズームレンズを大口径化したとき、球面収差と軸上色収差を良好に補正するのが容易となる。
【００３７】
また、後群ＬＲの最も像側に負の屈折力の最終部分系ＬＲｎ２を配置するのが良い。最終部分系ＬＲｎ２を負の屈折力として拡大系とすることで、負の屈折力の最終部分系ＬＲｎ２より物体側のレンズ系の合成焦点距離をより短い配置として、レンズ全長の短縮が容易になる。また、最終部分系ＬＲｎ２を負の屈折力の単レンズにて構成するのが良い。これによれば、レンズ群厚を短くし、ズームレンズの沈胴時の鏡筒厚の薄型化が容易となる。
【００３８】
また、後群ＬＲは、物体側から像側へ順に、正の屈折力の部分系ＬＲｐ１、開口絞りＳＳ、負の屈折力の部分系ＬＲｎ１、正の屈折力の部分系ＬＲｐ２、負の屈折力の部分系ＬＲｎ２にて構成するのが良い。後群ＬＲについて、開口絞りＳＳより物体側に正の屈折力の部分系ＬＲｐ１を配置することにより、条件式（１）を満足するレンズ構成としている。
【００３９】
また、開口絞りＳＳより像側に負の屈折力の部分系ＬＲｎ１、正の屈折力の部分系ＬＲｐ２、負の屈折力の部分系ＬＲｎ２（最終部分系に相当）を配置することで変倍を分担するのが良い。これによればズーム全域において良好な光学性能を実現するのが容易となる。また、ズーミングに際して開口絞りＳＳは部分系ＬＲｐ１と一体で（同じ軌跡で）移動するのが良い。これによれば、鏡筒構造を簡素化し、鏡筒構造を含めた全系の小型化が容易となる。
【００４０】
実施例１乃至４において、後群ＬＲは、第３レンズ群Ｌ３乃至第６レンズ群Ｌ６より構成されている。第１レンズ群Ｌ１、第２レンズ群Ｌ２、第３レンズ群Ｌ３は前方系ＬＦＦを構成する。第４レンズ群Ｌ４、第５レンズ群Ｌ５、第６レンズ群Ｌ６は後方系ＬＲＲを構成する。第３レンズ群Ｌ３は部分系ＬＲｐ１に相当する。第４レンズ群Ｌ４は部分系ＬＲｎ（ＬＲｎ１）に相当する。第５レンズ群Ｌ５は部分系ＬＲｐ２に相当する。第６レンズ群Ｌ６は部分系ＬＲｎ（ＬＲｎ２）に相当する。部分系ＬＲｐ１は部分系ＬＲｐ１ａと部分系ＬＲｐ１ｂを有する。
【００４１】
また、実施例１乃至４では、ズーミングに際し、部分系ＬＲｐ１と部分系ＬＲｎ１の間隔、部分系ＬＲｎ１と部分系ＬＲｐ２の間隔、部分系ＬＲｐ２と部分系ＬＲｎ２の間隔が変化する構成としている。これによれば、各部分系の位置の自由度を確保し、高ズーム比化を実現するとともに、ズーム全域において像面湾曲の変動を良好に補正するのが容易になる。
【００４２】
実施例５の後群ＬＲは、第３レンズ群Ｌ３乃至第５レンズ群Ｌ５より構成されている。第１レンズ群Ｌ１、第２レンズ群Ｌ２、第３レンズ群Ｌ３は前方系ＬＦＦを構成する。第４レンズ群Ｌ４、第５レンズ群Ｌ５は後方系ＬＲＲを構成する。第３レンズ群Ｌ３は部分系ＬＲｐ１に相当する。第４レンズ群Ｌ４は部分系ＬＲｎ（ＬＲｎ１）に相当する。第５レンズ群Ｌ５は部分系ＬＲｐ２と部分系ＬＲｎ２を有する。部分系ＬＲｎ２は最終部分系に相当する。部分系ＬＲｐ１は部分系ＬＲｐ１ａと部分系ＬＲｐ１ｂを有する。
【００４３】
また、実施例５では、ズーミングに際し、部分系ＬＲｐ１と部分系ＬＲｎ１の間隔、部分系ＬＲｎ１と部分系ＬＲｐ２の間隔が変化する構成としている。これによれば、独立に移動するレンズ群を削減することで鏡筒構造を簡素化し、鏡筒構造を含めた全系を小型化することが容易となる。
【００４４】
実施例６において後群ＬＲは第３レンズ群Ｌ３より構成される。第３レンズ群Ｌ３は正の屈折力の部分系ＬＲｐ１、負の屈折力の部分系ＬＲｎ１、正の屈折力の部分系ＬＲｐ２、負の屈折力の部分系ＬＲｎ２より構成される。第１レンズ群Ｌ１、第２レンズ群Ｌ２、部分系ＬＲｐ１は前方系ＬＦＦを構成する。部分系ＬＲｎ１、部分系ＬＲｐ２、部分系ＬＲｎ２は後方系ＬＲＲを構成する。部分系ＬＲｎ１は部分系ＬＲｎに相当する。部分系ＬＲｎ２は部分系ＬＲｎ及び最終部分系に相当する。部分系ＬＲｐ１は部分系ＬＲｐ１ａと部分系ＬＲｐ１ｂを有する。
【００４５】
また、実施例６では、ズーミングに際して部分系ＬＲｐ１、部分系ＬＲｎ１、部分系ＬＲｐ２、部分系ＬＲｎ２は同じ軌跡で移動する構成としている。これによれば、独立に移動するレンズ群を更に削減し、鏡筒構造を更に簡素化することが容易となる。
【００４６】
また、本発明のズームレンズにおいて、好ましくは次の条件式のうち１つ以上を満足するのが良い。広角端における、開口絞りＳＳより像側のレンズ系よりなる後方系の合成横倍率をβｓｓＲｗとする。第２レンズ群Ｌ２の焦点距離をｆ２とする。部分系ＬＲｐ１の焦点距離をｆＲｐ１とする。広角端における全系の空気換算でのバックフォーカスをｓｋｗとする。第２レンズ群Ｌ２は最も物体側に負レンズＧ２１ｎを有し、負レンズＧ２１ｎの物体側のレンズ面の曲率半径をＲ２ｎａ、負レンズＧ２１ｎの像側のレンズ面の曲率半径をＲ２ｎｂとする。
【００４７】
部分系ＬＲｐ１は、物体側から像側へ順に、１つの正レンズよりなる部分系ＬＲｐ１ａ、１つの正レンズと１つの負レンズよりなる部分系ＬＲｐ１ｂを有し、部分系ＬＲｐ１ａの焦点距離をｆＲｐ１ａ、部分系ＬＲｐ１ｂの焦点距離をｆＲｐ１ｂとする。最終部分系ＬＲｎ２の焦点距離をｆＲｎ２とする。ズーミングに際して部分系ＬＲｐ２と部分系ＬＲｎ２は同じ軌跡で移動するとき、部分系ＬＲｐ２と部分系ＬＲｎ２の合成焦点距離をｆＲｐｎとする。このとき、次の条件式のうち１つ以上を満足するのが良い。
【００４８】
０．５＜βｓｓＲｗ＜１．５                                        ・・・（３）
０．８＜｜ｆ２｜／ｆｗ＜２．０                                    ・・・（４）
０．８＜ｆＲｐ１／ｆｗ＜２．５                                    ・・・（５）
０．１＜ｓｋｗ／ｆｗ＜１．０                                      ・・・（６）
−１．５＜（Ｒ２ｎｂ＋Ｒ２ｎａ）／（Ｒ２ｎｂ−Ｒ２ｎａ）＜−０．５・・・（７）
−１．０＜ｆＲｐ１ａ／ｆＲｐ１ｂ＜−０．１                        ・・・（８）
１．０＜｜ｆＲｎ２｜／ｆｗ＜５．０                                ・・・（９）
１．５＜ｆＲｐｎ／ｆｗ＜１０．０                                ・・・（１０）
【００４９】
次に各条件式の技術的意味について説明する。条件式（３）は、広角端における開口絞りＳＳより像側に配置されたレンズ系よりなる後方系ＬＲＲの無限遠物体の合焦時における合成横倍率を規定している。条件式（３）の下限を超えると、開口絞りＳＳより像側に配置された後方系ＬＲＲの合成横倍率が縮小方向に偏りすぎる。このとき、開口絞りＳＳより物体側の前方系ＬＦＦの合成屈折力が広角端において弱まりすぎてしまうため、大口径化しようとしたとき開口絞りＳＳの開口径の小型化が困難となる。
【００５０】
一方、上限を超えると、開口絞りＳＳより像側に配置された後方系ＬＲＲの合成横倍率が拡大方向に偏りすぎる。このとき、開口絞りＳＳより物体側の前方系ＬＦＦの合成屈折力が広角端において強まりすぎてしまうため、広角端において像面湾曲の補正が困難となる。
【００５１】
条件式（４）は、第２レンズ群Ｌ２の負の焦点距離と広角端での全系の焦点距離の比を規定している。条件式（４）の下限を超えて、第２レンズ群Ｌ２の負の焦点距離が短くなりすぎると（負の屈折力の絶対値が大きくなりすぎると）、広角端から望遠端へのズーミングに際し像面湾曲の変動の補正が困難となる。一方、上限を超えて、第２レンズ群Ｌ２の負の焦点距離が長くなりすぎると（負の屈折力の絶対値が小さくなりすぎると）、所望のズーム比を得るための第２レンズ群Ｌ２の移動量が増大するとともに、前玉有効径が増大してしまう。
【００５２】
条件式（５）は、後群ＬＲの最も物体側に配置された部分系ＬＲｐ１の焦点距離と広角端での全系の焦点距離の比を規定している。条件式（５）の下限を超えて、部分系ＬＲｐ１の焦点距離が短くなりすぎると、広角端から望遠端へのズーミングに際し、大口径化に伴い増大する球面収差の補正がズーム全域において補正するのが困難となる。一方、上限を超えて、部分系ＬＲｐ１の焦点距離が長くなりすぎると、所望のズーム比を得るための部分系ＬＲｐ１（部分系ＬＲｐ１を含むレンズ群）の移動量が増大するとともに、開口絞りＳＳの開口径が大型化してしまう。
【００５３】
条件式（６）は、無限遠物体の合焦時の広角端におけるバックフォーカスと広角端での全系の焦点距離の比を規定している。条件式（６）を満たすレンズ構成とすることで、レンズ全長の短縮化と開口絞りＳＳの開口径の小型化を図っている。つまり、条件式（１）を満たすレンズ構成において、広角端における前方系ＬＦＦは強い正の屈折力を持つ構成となる。このとき、全系としては強い望遠型の屈折力配置をとることとなり、条件式（６）を満たすレンズ構成とすることでバックフォーカスを短縮し、レンズ全長を小型化している。
【００５４】
条件式（６）の下限を超えて、バックフォーカスが短くなりすぎると、広角端においてレンズ群又は部分系が干渉し鏡筒構造の構成が困難となる。一方、上限を超えて、バックフォーカスが長くなりすぎると、レンズ全長が増大してしまう。
【００５５】
条件式（７）は、第２レンズ群Ｌ２の最も物体側に配置された負レンズＧ２１ｎのレンズ形状を規定した条件式である。第２レンズ群Ｌ２の最も物体側に配置された負レンズＧ２１ｎの形状を最適化することで、全系の歪曲収差を制御している。ここで、条件式（７）を満足するレンズ構成をとることで、広角端における負の歪曲収差を適切に補正し、前玉有効径の小型化と像面湾曲の補正を良好に補正している。
【００５６】
条件式（７）の下限を超えると、広角端において負の歪曲収差が小さくなりすぎ、前玉有効径が大型化してしまう。一方、上限を超えると、広角端において負の歪曲収差が大きくなりすぎるとともに、至近物体への合焦時において像面湾曲の変動の補正が困難となる。
【００５７】
条件式（８）は、後群ＬＲの最も物体側に配置された部分系ＬＲｐ１を構成する各部分系の屈折力配置を規定している。部分系ＬＲｐ１の最も物体側に配置された１つの正レンズよりなる部分系ＬＲｐ１ａと、その像側に配置された１つの正レンズと１つの負レンズよりなる部分系ＬＲｐ１ｂの屈折力配置を最適化している。これにより、ズームレンズの大口径化に対応し、高次の球面収差と軸上色収差を良好に補正している。
【００５８】
条件式（８）の上限を超えて、部分系ＬＲｐ１ｂの焦点距離の絶対値が部分系ＬＲｐ１ａの焦点距離の絶対値に比して大きくなりすぎると、球面収差が補正不足となる。一方、下限を超えて、部分系ＬＲｐ１ａの焦点距離の絶対値が部分系ＬＲｐ１ｂの焦点距離の絶対値に比して大きくなりすぎると、球面収差が補正過剰となる。
【００５９】
条件式（９）は、後群ＬＲの最も像側に配置された最終部分系ＬＲｎ２（部分系ＬＲｎに相当）の焦点距離と広角端での全系の焦点距離の比を規定している。最終部分系ＬＲｎ２を負の屈折力とし、後群ＬＲを拡大系とすることで、最終部分系ＬＲｎ２よりも物体側に配置されたレンズ系の屈折力を強め、レンズ全長の小型化を図っている。条件式（９）の下限を超えて、最終部分系ＬＲｎ２の焦点距離の絶対値が小さくなりすぎると、物体側の部分系の屈折力が強まりすぎてズーム全域での諸収差の補正が困難となるとともに、像面への光線入射角度が大きくなりすぎてしまう。
【００６０】
一方、上限を超えて、最終部分系ＬＲｎ２の焦点距離の絶対値が大きくなりすぎると、物体側の部分系の屈折力が弱まりすぎて、レンズ全長が増大し、全系が大型化してくる。
【００６１】
条件式（１０）は、後群ＬＲを構成する部分系ＬＲｐ２と部分系ＬＲｎ２の合成系の合成焦点距離と広角端での全系の焦点距離の比を規定している。条件式（１０）の下限を超えて、部分系ＬＲｐ２と部分系ＬＲｎ２の合成系の合成焦点距離が短くなり、正の屈折力が強くなりすぎると合成系の横倍率が小さくなる。このとき、部分系ＬＲｐ２より物体側に配置される部分系の合成焦点距離が長い配置となるため、レンズ全長が増大し、全系が大型化してしまう。
【００６２】
一方、上限を超えて、合成系の焦点距離が長くなりすぎると、部分系ＬＲｎ２の負の屈折力が強まり（負の屈折力の絶対値が大きくなり）、射出瞳位置が像面に近づきすぎる構成となる。そうすると、撮像素子への光線の入射角度が大きくなりすぎ、撮像素子のシェーディング特性を補正するのが困難となるのでよくない。各実施例において、より好ましくは条件式（３）乃至（１０）の数値範囲を以下の範囲とするのがよい。
【００６３】
０．６５＜βｓｓＲｗ＜１．４０                                  ・・・（３ａ）
０．９０＜｜ｆ２｜／ｆｗ＜１．７５                              ・・・（４ａ）
０．９＜ｆＲｐ１／ｆｗ＜２．０                                  ・・・（５ａ）
０．２＜ｓｋｗ／ｆｗ＜０．８                                    ・・・（６ａ）
−１．４＜（Ｒ２ｎｂ＋Ｒ２ｎａ）／（Ｒ２ｎｂ−Ｒ２ｎａ）＜−０．７・・（７ａ）
−０．８５＜ｆＲｐ１ａ／ｆＲｐ１ｂ＜−０．１３                  ・・・（８ａ）
１．３＜｜ｆＲｎ２｜／ｆｗ＜４．０                              ・・・（９ａ）
２．０＜ｆＲｐｎ／ｆｗ＜８．０                                ・・・（１０ａ）
【００６４】
各実施例において、さらに好ましくは条件式（３ａ）乃至（１０ａ）の数値範囲を以下の範囲とするのがよい。
【００６５】
０．８０＜βｓｓＲｗ＜１．３０                                  ・・・（３ｂ）
１．０＜｜ｆ２｜／ｆｗ＜１．５                                  ・・・（４ｂ）
１．０＜ｆＲｐ１／ｆｗ＜１．６                                  ・・・（５ｂ）
０．３＜ｓｋｗ／ｆｗ＜０．５                                    ・・・（６ｂ）
−１．２＜（Ｒ２ｎｂ＋Ｒ２ｎａ）／（Ｒ２ｎｂ−Ｒ２ｎａ）＜−０．８・・（７ｂ）
−０．７０＜ｆＲｐ１ａ／ｆＲｐ１ｂ＜−０．１５                  ・・・（８ｂ）
１．５＜｜ｆＲｎ２｜／ｆｗ＜３．５                              ・・・（９ｂ）
２．５＜ｆＲｐｎ／ｆｗ＜５．０                                ・・・（１０ｂ）
【００６６】
次に各実施例のレンズ構成について説明する。
［実施例１］
以下、図１を参照して、本発明の実施例１によるズームレンズについて説明する。図１の実施例１は物体側から像側へ順に、正、負、正、負、正、負の屈折力の第１レンズ群Ｌ１乃至第６レンズ群Ｌ６よりなる６群構成のズームレンズである。ここで、第３レンズ群Ｌ３、第４レンズ群Ｌ４、第５レンズ群Ｌ５、第６レンズ群Ｌ６は後群ＬＲを構成する部分系を構成している。また、近距離物体へのフォーカスは、第５レンズ群Ｌ５を物体側に移動するリアフォーカス方式を採用している。
【００６７】
実施例１では、広角端から望遠端へのズーミングに際し、第１レンズ群Ｌ１は像側に凸状の軌跡で移動している。また、第２レンズ群Ｌ２は非線形な軌跡にて像側に移動し変倍に伴って像面の補償を行っている。また、第３レンズ群Ｌ３、第４レンズ群Ｌ４、第５レンズ群Ｌ５、第６レンズ群Ｌ６は各々のレンズ群間隔を変えながら物体側に移動することで変倍を行っている。
【００６８】
第１レンズ群Ｌ１は、物体側から像側へ順に、物体側の面が凸でメニスカス形状の負レンズと正レンズを接合した接合レンズにて構成している。第２レンズ群Ｌ２は、物体側から像側へ順に、像側の面が凹形状の負レンズ、両凹形状の負レンズ、物体側の面が凸でメニスカス形状の正レンズにて構成している。第３レンズ群Ｌ３は、物体側から像側へ順に、物体側の面が凸でメニスカス形状で、両レンズ面が非球面形状の正レンズ、両凸形状の正レンズ、物体側の面が凸でメニスカス形状の負レンズ、両凸形状で像側の面が非球面形状の正レンズにて構成している。
【００６９】
第４レンズ群Ｌ４は、物体側の面が凸のメニスカス形状で、両レンズ面が非球面形状の負レンズにて構成している。第５レンズ群Ｌ５は、両凸形状の正レンズにて構成している。第６レンズ群Ｌ６は、像側の面が凸のメニスカス形状で、像側の面が非球面形状の負レンズにて構成している。第４レンズ群Ｌ４乃至第６レンズ群Ｌ６のレンズ構成枚数を少なくして、沈胴時の薄型化を図っている。
【００７０】
［実施例２］
以下、図３を参照して、本発明の実施例２のズームレンズについて説明する。実施例２のズームタイプ、フォーカス方式は図１の実施例１と同じである。実施例２は実施例１と比較して、広画角化、大口径化し、各レンズ群内のレンズのレンズ形状を変更したことが異なる。第２レンズ群Ｌ２は、物体側から像側へ順に、像側のレンズ面が凹形状の負レンズ、物体側のレンズ面が凹形状の負レンズ、物体側が凸でメニスカス形状の正レンズにて構成している。
【００７１】
第３レンズ群Ｌ３は、物体側から像側へ順に、物体側が凸でメニスカス形状で、両レンズ面が非球面形状の正レンズ、物体側が凸でメニスカス形状の正レンズと負レンズとを接合した接合レンズ、両凸形状で像側の面が非球面形状の正レンズにて構成している。第３レンズ群Ｌ３内に接合レンズ面を配置することで、大口径化に伴い補正が困難となる高次の球面収差を良好に補正するとともに、レンズの偏芯敏感度を低減している。第４レンズ群Ｌ４、第５レンズ群Ｌ５のレンズの数、レンズの形状は実施例１と同じである。第６レンズ群Ｌ６は、物体側の面が凹形状で、像側の面が非球面形状の負レンズにて構成している。
【００７２】
［実施例３］
以下、図５を参照して、本発明の実施例３によるズームレンズについて説明する。図５の実施例３は、ズームタイプ、フォーカス方式は図１の実施例１と同じである。実施例３は実施例１と比較して、各レンズ群内のレンズのレンズ形状を変更したことが異なる。第１レンズ群Ｌ１、第２レンズ群Ｌ２、第３レンズ群Ｌ３のレンズの数、レンズの形状は実施例２と同じである。
【００７３】
第４レンズ群Ｌ４は、物体側から像側へ順に、物体側が凸のメニスカス形状で物体側の面が非球面形状の負レンズと物体側の面が凸でメニスカス形状の正レンズとを接合した接合レンズにて構成している。第４レンズ群Ｌ４を色消し構成とすることで、とくに手振れ補正のための防振レンズ群として好適なレンズ構成としている。第５レンズ群Ｌ５、第６レンズ群Ｌ６のレンズの数、レンズ形状は実施例２と同じである。
【００７４】
［実施例４］
以下、図７を参照して、本発明の実施例４によるズームレンズについて説明する。実施例４は、ズームタイプは図１の実施例１と同じである。第１レンズ群Ｌ１乃至第６レンズ群Ｌ６のレンズの数、レンズの形状は実施例３と同じである。実施例４は実施例３と比較して、望遠端を大口径化し、各レンズ群内のレンズ面の曲率を変更したことが異なる。また、近距離物体へのフォーカスは、第６レンズ群Ｌ６を像面側に移動するリアフォーカス方式を採用している。
【００７５】
［実施例５］
以下、図９を参照して、本発明の実施例５によるズームレンズについて説明する。実施例５は、物体側から像側へ順に、正、負、正、負、正の屈折力の第１レンズ群Ｌ１乃至第５レンズ群Ｌ５よりなる５群構成のズームレンズである。ここで、第３レンズ群Ｌ３、第４レンズ群Ｌ４、第５レンズ群Ｌ５は後群ＬＲの部分系を構成している。第５レンズ群Ｌ５は正の屈折力の部分群ＬＲｐ２と、負の屈折力の部分群ＬＲｎ２を有する。また、近距離物体へのフォーカスは、第５レンズ群Ｌ５を構成する負の屈折力の部分群ＬＲｎ２を像面側に移動するリアフォーカス方式を採用している。
【００７６】
実施例５では、広角端から望遠端へのズーミングに際し、第１レンズ群Ｌ１は像側に凸状の軌跡で移動している。また、第２レンズ群Ｌ２は非線形な軌跡にて像側に移動し、変倍に伴って移動する像面の補償を行っている。また、第３レンズ群Ｌ３、第４レンズ群Ｌ４、第５レンズ群Ｌ５は各々のレンズ群間隔を変えながら物体側に移動することで変倍を行っている。第１レンズ群Ｌ１、第２レンズ群Ｌ２、第３レンズ群Ｌ３のレンズの数、レンズの形状は実施例２と同じである。第４レンズ群Ｌ４のレンズの数、レンズの形状は実施例３と同じである。第５レンズ群Ｌ５は、両凸形状の正レンズと、像側の面が凸のメニスカス形状で像側の面が非球面形状の負レンズにて構成している。
【００７７】
［実施例６］
以下、図１１を参照して、本発明の実施例６によるズームレンズについて説明する。実施例６は物体側から像側へ順に、正、負、正の屈折力の第１レンズ群Ｌ１乃至第３レンズ群Ｌ３よりなる３群構成のズームレンズである。後群ＬＲは第３レンズ群Ｌ３により構成されており、第３レンズ群Ｌ３は、正の屈折力の部分群ＬＲｐ１、負の屈折力の部分群ＬＲｎ１、正の屈折力の部分群ＬＲｐ２、負の屈折力の部分群ＬＲｎ２によって構成されている。
【００７８】
近距離物体へのフォーカスは、第３レンズ群Ｌ３を構成する負の屈折力の部分群ＬＲｎ２を像面側に移動するリアフォーカス方式を採用している。実施例６では、広角端から望遠端へのズーミングに際し、第１レンズ群Ｌ１は像側に凸状の軌跡で移動している。また、第２レンズ群Ｌ２は非線形な軌跡にて像側に移動し、変倍に伴って移動する像面の補償を行っている。第３レンズ群Ｌ３は物体側に移動することで、変倍を行っている。
【００７９】
第１レンズ群Ｌ１のレンズの数、レンズの形状は実施例１と同じである。第２レンズ群Ｌ２は物体側から像側へ順に、像側の面が凹形状の負レンズ、物体側の面が凹形状の負レンズ、物体側の面が凸でメニスカス形状の正レンズにて構成している。
【００８０】
第３レンズ群Ｌ３は、物体側から像側へ順に、物体側が凸のメニスカス形状で両レンズ面が非球面形状の正レンズ、物体側の面が凸でメニスカス形状の正レンズと物体側の面が凸でメニスカス形状の負レンズを接合した接合レンズを有する。更に両凸形状で像側の面が非球面形状の正レンズ、開口絞りＳＳ、物体側の面が凸のメニスカス形状で物体側の面が非球面形状の負レンズと物体側の面が凸でメニスカス形状の正レンズを接合した接合レンズを有する。更に、両凸形状の正レンズ、像側の面が凸のメニスカス形状で像側の面が非球面形状の負レンズにて構成している。
【００８１】
以上、本発明の好ましい実施形態について説明したが、本発明はこれらの実施形態に限定されず、その要旨の範囲内で種々の変形及び変更が可能である。例えば、像振れの補正のため各レンズ群の全体もしくはその一部の部分系を光軸に対して垂直方向の成分を有するように偏心する構成としてもよい。この場合、後群ＬＲを構成する部分系の一部、とくに部分系ＬＲｐ１又は部分系ＬＲｎ１にて像振れの補正を行うのが好適である。また、ズームレンズに残存する歪曲収差を画像処理によって補正してもよい。
【００８２】
次に本発明のズームレンズを撮像光学系として用いた撮像装置について説明する。図１３において、１０は撮像装置である。１１は本発明のズ−ムレンズによって構成された撮像光学系、１２は撮像光学系１１によって形成された被写体像を受光するＣＣＤセンサやＣＭＯＳセンサ等の固体撮像素子（光電変換素子）を示す。また、１３は撮像素子１２が受光した被写体像を記録する記録手段、１４は不図示の表示素子に表示された被写体像を観察するためのファインダ−である。上記表示素子は液晶パネル等によって構成され、撮像素子１２上に形成された披写体像が表示される。
【００８３】
このように本発明のズームレンズをデジタルカメラ等の光学機器に適用することにより、高い光学性能を有した光学機器が実現できる。尚、本発明はクイックリターンミラーのないＳＬＲ（Single lens Reflex）カメラにも同様に適用することができる。尚、本発明のズームレンズはビデオカメラにも同様に適用することができる。
【００８４】
以上、本発明の好ましい実施形態について説明したが、本発明はこれらの実施形態に限定されず、その要旨の範囲内で種々の変形及び変更が可能である。
【００８５】
以下、実施例１乃至６に対応する数値実施例１乃至６の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。ここで、材料のアッベ数νｄは以下の式であらわされる。
【００８６】
νｄ＝（Ｎｄ−１）／（ＮＦ−ＮＣ）
Ｎｄ：フラウンフォーファーのｄ線（波長５８７．６ｎｍ）に対する屈折率
ＮＦ：フラウンフォーファーのＦ線（波長４８６．１ｎｍ）に対する屈折率
ＮＣ：フラウンフォーファーのＣ線（波長６５６．３ｎｍ）に対する屈折率
【００８７】
非球面形状は、光の進行方向を正、ｘを光軸方向の面頂点からの変位量として、ｈを光軸と垂直な方向の光軸からの高さ、ｒを近軸曲率半径、Ｋを円錐定数、Ａ４、Ａ６、Ａ８、Ａ１０を非球面係数とするとき、
ｘ＝（ｈ２／ｒ）／［１＋｛１−（１＋Ｋ）×（ｈ／ｒ）２｝１／２］
＋Ａ４×ｈ４＋Ａ６×ｈ６＋Ａ８×ｈ８＋Ａ１０×ｈ１０
なる式で表している。なお、数値の「Ｅ±ＸＸ」は「×１０±ＸＸ」を意味している。また、前述の各条件式と数値実施例との関係を（表１）に示す。
【００８８】
（数値実施例１）
単位 mm
面データ
面番号       r        d      nd         νd       有効径
1         46.290    1.20   1.95906    17.5       34.00
2         35.151    4.66   1.77250    49.6       31.85
3        357.660  (可変)                         30.43
4*       356.906    1.50   1.85135    40.1       27.20
5*        16.592    5.80                         21.14
6        -37.125    1.00   1.69680    55.5       20.98
7         67.818    0.10                         20.66
8         29.865    2.05   1.95906    17.5       20.72
9        101.594  (可変)                         20.48
10*        18.963    1.76   1.85135    40.1       14.30
11*        48.957    0.30                         14.09
12         11.636    4.03   1.49700    81.5       13.94
13        -76.754    0.30                         13.21
14         23.795    0.80   2.00100    29.1       11.96
15          9.332    0.88                         10.72
16         16.103    1.80   1.55332    71.7       10.71
17*      -163.434    0.80                         10.46
18(絞り)    ∞     (可変)                         10.00
19*       931.557    1.00   1.85135    40.1        9.45
20*        26.253  (可変)                          9.78
21         65.068    3.33   1.74400    44.8       17.60
22        -22.740  (可変)                         17.88
23        -17.214    1.30   1.69350    53.2       17.75
24*      -182.046  (可変)                         19.14
25          ∞       1.03   1.51633    64.1       50.00
26          ∞       1.49                         50.00
27          ∞       0.92   1.51633    64.1       50.00
28          ∞       0.50                         50.00
像面        ∞   
【００８９】
非球面データ
第4面
K = 0.00000e+000  A 4=-2.40692e-006  A 6= 3.60609e-008  A 8=-1.97094e-010  A10= 3.38368e-013  
第5面
K = 0.00000e+000  A 4= 7.32208e-006  A 6= 6.49797e-008  A 8= 2.33582e-010  A10= 6.41870e-013  
第10面
K = 0.00000e+000  A 4=-3.79789e-006  A 6=-9.11913e-008  A 8=-3.88973e-010  
第11面
K = 0.00000e+000  A 4= 3.76884e-005  
第17面
K = 0.00000e+000  A 4= 4.20034e-006  A 6=-2.07222e-007  A 8= 1.60552e-008  
第19面
K = 0.00000e+000  A 4= 6.13111e-005  A 6=-3.40689e-006  A 8= 4.89211e-008  A10=-4.30254e-010  
第20面
K = 0.00000e+000  A 4= 9.93069e-005  A 6=-3.63784e-006  A 8= 3.19900e-008  
第24面
K = 0.00000e+000  A 4=-4.78063e-005  A 6= 1.11021e-007  A 8=-6.81571e-010  A10= 2.57709e-012  
【００９０】
各種データ
ズーム比     4.72 
広角     中間     望遠
焦点距離      16.27    35.14    76.80  
Fナンバー      2.47     3.61     4.82  
半画角（度）  34.88    21.24    10.09  
像高          11.34    13.66    13.66  
レンズ全長    80.00    82.60    95.00  
BF(in air)     6.28    12.78    16.54  
d 3            0.93     8.87    21.93  
d 9           24.25    10.03     0.50  
d18            3.00     6.39    10.92  
d20            6.68     7.61     9.22  
d22            5.60     3.66     2.63  
d24            3.00     9.50    13.26   
入射瞳位置    24.72    37.85    72.21  
射出瞳位置   -20.56   -30.20   -39.06  
前側主点位置  28.42    32.76    -0.09  
後側主点位置 -15.77   -34.64   -76.30  
【００９１】
ズームレンズ群データ
群  始面    焦点距離  レンズ構成長  前側主点位置  後側主点位置
L1    1      74.44         5.86        -0.76         -3.97
L2    4     -17.64        10.45         1.48         -6.68
L3   10      18.16        10.66        -0.50         -7.84
L4   19     -31.75         1.00         0.56          0.02
L5   21      23.02         3.33         1.44         -0.50
L6   23     -27.50         1.30        -0.08         -0.85
G    25       ∞           3.45         1.39         -1.39
【００９２】
単レンズデータ
レンズ  始面  焦点距離
1       1   -160.80
2       2     50.15
3       4    -20.48
4       6    -34.30
5       8     43.50
6      10     35.40
7      12     20.64
8      14    -15.77
9      16     26.59
10      19    -31.75
11      21     23.02
12      23    -27.50
13      25      0.00
14      27      0.00
【００９３】
（数値実施例２）
単位 mm
面データ
面番号       r        d      nd         νd       有効径
1         52.839    1.20   1.92286    18.9       36.02
2         39.749    4.80   1.77250    49.6       34.89
3        415.774  (可変)                         34.32
4        822.108    1.00   1.88300    40.8       28.81
5         16.474    6.88                         22.81
6        -32.493    1.00   1.72916    54.7       22.68
7      -1585.087    0.10                         22.79
8         40.988    2.17   1.95906    17.5       22.89
9        306.429  (可変)                         22.70
10*        16.121    4.11   1.74330    49.3       17.94
11*      1217.960    0.50                         17.35
12         12.713    3.23   1.48749    70.2       15.62
13         32.004    0.80   2.00069    25.5       14.44
14         10.809    1.58                         12.86
15         38.590    2.02   1.55332    71.7       12.86
16*       -58.250    1.20                         12.63
17(絞り)    ∞     (可変)                         12.00
18*        25.626    1.00   1.55332    71.7       12.55
19*        17.714  (可変)                         12.77
20         34.207    3.50   1.64000    60.1       18.17
21        -38.692  (可変)                         18.43
22        -28.104    1.30   1.67790    54.9       18.66
23*       392.879  (可変)                         19.55
24          ∞       1.03   1.51633    64.1       50.00
25          ∞       1.49                         50.00
26          ∞       0.92   1.51633    64.1       50.00
27          ∞       0.50                         50.00
像面        ∞   
【００９４】
非球面データ
第10面
K = 0.00000e+000  A 4=-1.16409e-005  A 6=-4.59303e-009  A 8= 9.36502e-011  
第11面
K = 0.00000e+000  A 4= 1.87368e-005  A 6= 5.02314e-009  
第16面
K = 0.00000e+000  A 4= 8.11203e-006  A 6=-6.32736e-008  A 8= 4.90155e-009  
第18面
K = 0.00000e+000  A 4=-2.32442e-005  A 6=-3.20654e-007  A 8= 1.90857e-009  A10=-9.17022e-012  
第19面
K = 0.00000e+000  A 4=-1.89163e-005  A 6=-5.87708e-007  A 8= 2.49921e-009  
第23面
K = 0.00000e+000  A 4=-1.83551e-005  A 6= 5.19807e-008  A 8=-1.29964e-010  A10= 6.20299e-013  
【００９５】
各種データ
ズーム比     4.72 
広角     中間     望遠
焦点距離      15.60    33.30    73.60  
Fナンバー      2.06     3.91     5.76  
半画角（度）  36.01    22.30    10.51  
像高          11.34    13.66    13.66  
レンズ全長    85.91    88.09   110.00  
BF(in air)     6.28    16.31    22.07   
d 3            1.08     8.07    27.45  
d 9           25.54     9.28     0.35  
d17            3.64     9.58    12.84  
d19            6.99     4.08     6.48  
d21            5.32     3.72     3.75  
d23            3.00    13.02    18.79   
入射瞳位置    24.59    35.01    88.86  
射出瞳位置   -22.44   -34.28   -46.09  
前側主点位置  29.58    36.43    46.20  
後側主点位置 -15.10   -32.80   -73.10  
【００９６】
ズームレンズ群データ
群  始面    焦点距離  レンズ構成長  前側主点位置  後側主点位置
L1    1      83.65         6.00        -0.72         -4.02
L2    4     -18.58        11.15         0.52         -8.76
L3   10      23.24        13.44        -2.41        -11.27
L4   18    -108.58         1.00         2.18          1.51
L5   20      28.91         3.50         1.02         -1.16
L6   22     -38.64         1.30         0.05         -0.72
G    24       ∞           3.45         1.39         -1.39
【００９７】
単レンズデータ
レンズ  始面  焦点距離
1       1   -181.87
2       2     56.58
3       4    -19.05
4       6    -45.51
5       8     49.14
6      10     21.95
7      12     41.02
8      13    -16.62
9      15     42.27
10      18   -108.58
11      20     28.91
12      22    -38.64
13      24      0.00
14      26      0.00
【００９８】
（数値実施例３）
単位 mm
面データ
面番号       r        d      nd         νd       有効径
1         61.484    1.20   1.92286    18.9       37.95
2         45.367    4.70   1.77250    49.6       36.88
3        574.850  (可変)                         36.38
4      -1902.899    1.00   1.83481    42.7       30.00
5         16.708    7.17                         23.63
6        -35.279    1.00   1.72916    54.7       23.52
7        455.193    0.30                         23.68
8         40.206    2.53   1.92286    18.9       23.94
9        445.086  (可変)                         23.74
10*        16.787    4.24   1.74330    49.3       18.52
11*       281.262    0.50                         17.83
12         13.020    3.54   1.48749    70.2       16.20
13         33.472    0.80   1.84666    23.8       14.88
14         10.658    1.69                         13.16
15         36.720    2.17   1.55332    71.7       13.16
16*       -44.038    1.20                         12.87
17(絞り)    ∞     (可変)                         12.03
18*        83.092    0.80   1.85135    40.1       11.96
19         18.854    1.02   1.80809    22.8       12.33
20         28.055  (可変)                         12.52
21         37.666    3.73   1.69680    55.5       19.90
22        -41.799  (可変)                         20.23
23        -38.919    1.30   1.85135    40.1       20.71
24*      -734.572  (可変)                         21.54
25          ∞       1.03   1.51633    64.1       50.00
26          ∞       1.49                         50.00
27          ∞       0.92   1.51633    64.1       50.00
28          ∞       0.50                         50.00
像面        ∞   
【００９９】
非球面データ
第10面
K = 0.00000e+000  A 4=-5.45965e-006  A 6= 7.87686e-009  A 8= 2.87553e-010  
第11面
K = 0.00000e+000  A 4= 2.17971e-005  A 6= 1.91839e-008  
第16面
K = 0.00000e+000  A 4= 1.86223e-005  A 6= 9.60648e-009  A 8= 5.82734e-009  
第18面
K = 0.00000e+000  A 4=-7.38491e-006  A 6= 2.81808e-007  A 8=-2.65515e-009  
第24面
K = 0.00000e+000  A 4=-8.11999e-006  A 6= 5.23648e-008  A 8=-4.49597e-010  A10= 1.71410e-012  
【０１００】
各種データ
ズーム比     4.71 
広角     中間     望遠
焦点距離      15.45    34.76    72.80  
Fナンバー      2.06     4.00     5.04  
半画角（度）  35.79    21.45    10.63  
像高          11.14    13.66    13.66  
レンズ全長    89.98    91.94   115.00  
BF(in air)     6.28    15.52    22.55   
d 3            1.20    10.04    30.01  
d 9           27.45     8.90     0.33  
d17            3.05     9.40    11.55  
d20            7.19     6.24     8.86  
d22            5.26     2.29     2.16  
d24            3.00    12.24    19.27   
入射瞳位置    24.84    37.77    88.88  
射出瞳位置   -23.71   -36.98   -50.53  
前側主点位置  30.43    40.29    57.82  
後側主点位置 -14.95   -34.26   -72.30  
【０１０１】
ズームレンズ群データ
群  始面    焦点距離  レンズ構成長  前側主点位置  後側主点位置
L1    1      95.81         5.90        -0.62         -3.88
L2    4     -19.59        12.00         0.39         -9.69
L3   10      21.83        14.13        -0.96        -10.93
L4   18     -48.58         1.82         1.44          0.43
L5   21      28.99         3.73         1.06         -1.18
L6   23     -48.31         1.30        -0.04         -0.74
G    25       ∞           3.45         1.39         -1.39
【０１０２】
単レンズデータ
レンズ  始面  焦点距離
1       1   -194.48
2       2     63.51
3       4    -19.84
4       6    -44.87
5       8     47.75
6      10     23.86
7      12     41.36
8      13    -18.77
9      15     36.54
10      18    -28.81
11      19     67.79
12      21     28.99
13      23    -48.31
14      25      0.00
15      27      0.00
【０１０３】
（数値実施例４）
単位 mm
面データ
面番号       r        d      nd         νd       有効径
1         60.712    1.40   1.92286    18.9       39.01
2         45.170    5.03   1.77250    49.6       37.80
3        722.300  (可変)                         37.25
4       5825.642    1.10   1.83481    42.7       30.71
5         15.973    7.67                         23.49
6        -34.362    0.90   1.72916    54.7       23.23
7       1116.471    0.10                         23.31
8         39.874    2.18   1.95906    17.5       23.42
9        210.086  (可変)                         23.23
10*        16.017    4.34   1.74330    49.3       18.89
11*       206.851    0.47                         18.18
12         13.055    3.40   1.49700    81.5       16.37
13         35.589    0.60   1.84666    23.8       15.16
14         10.762    1.92                         13.43
15         28.934    1.88   1.55332    71.7       13.35
16*      -105.959    1.40                         13.03
17(絞り)    ∞     (可変)                         12.30
18*        65.875    0.80   1.85135    40.1       12.05
19         17.641    1.11   1.80809    22.8       12.40
20         27.098  (可変)                         12.57
21         28.494    3.88   1.69680    55.5       18.30
22        -38.147  (可変)                         18.53
23        -27.169    1.20   1.85135    40.1       18.38
24*      -160.238  (可変)                         19.17
25          ∞       1.03   1.51633    64.1       50.00
26          ∞       1.49                         50.00
27          ∞       0.92   1.51633    64.1       50.00
28          ∞       0.50                         50.00
像面        ∞   
【０１０４】
非球面データ
第10面
K = 0.00000e+000  A 4=-3.11993e-006  A 6=-1.04135e-008  A 8= 3.77325e-010  
第11面
K = 0.00000e+000  A 4= 2.38275e-005  A 6=-6.90804e-009  
第16面
K = 0.00000e+000  A 4= 3.00443e-005  A 6= 9.19740e-009  A 8= 1.16771e-008  
第18面
K = 0.00000e+000  A 4=-6.91808e-006  A 6= 3.15669e-007  A 8=-3.00652e-009  
第24面
K = 0.00000e+000  A 4=-5.86810e-006  A 6= 7.17359e-008  A 8=-2.50306e-010  A10=-8.26182e-013  
【０１０５】
各種データ
ズーム比     4.71 
広角     中間     望遠
焦点距離      15.45    32.76    72.80  
Fナンバー      2.06     4.00     5.04  
半画角（度）  35.79    22.63    10.63  
像高          11.14    13.66    13.66  
レンズ全長    89.01    88.49   114.92  
BF(in air)     6.52    18.26    21.47 
d 3            1.07     6.74    29.50  
d 9           26.32     8.38     0.30  
d17            3.00     7.89    10.84  
d20            5.29     2.80     4.19  
d22            2.75     2.59     2.50  
d24            7.28    16.79    24.28   
入射瞳位置    24.66    32.05    91.11  
射出瞳位置   -24.46   -35.56   -47.87  
前側主点位置  30.55    35.05    54.34  
後側主点位置 -14.95   -32.26   -72.30  
【０１０６】
ズームレンズ群データ
群  始面    焦点距離  レンズ構成長  前側主点位置  後側主点位置
L1    1      91.85         6.43        -0.57         -4.12
L2    4     -18.27        11.94         0.78         -9.20
L3   10      22.16        14.00        -1.49        -11.27
L4   18     -52.70         1.91         1.70          0.63
L5   21      23.98         3.88         1.00         -1.34
L6   23     -38.59         1.20        -0.13         -0.78
G    25       ∞           3.45         1.39         -1.39
【０１０７】
単レンズデータ
レンズ  始面  焦点距離
1       1   -199.84
2       2     62.17
3       4    -19.19
4       6    -45.70
5       8     51.00
6      10     23.13
7      12     39.51
8      13    -18.43
9      15     41.28
10      18    -28.52
11      19     59.43
12      21     23.98
13      23    -38.59
14      25      0.00
15      27      0.00
【０１０８】
（数値実施例５）
単位 mm
面データ
面番号       r        d      nd         νd       有効径
1         61.195    1.40   1.92286    18.9       39.00
2         45.342    5.00   1.77250    49.6       37.80
3        708.450  (可変)                         37.25
4       2276.734    1.10   1.83481    42.7       30.64
5         15.917    7.43                         23.44
6        -34.327    0.90   1.72916    54.7       23.31
7       4675.090    0.10                         23.39
8         39.090    2.18   1.95906    17.5       23.49
9        190.336  (可変)                         23.29
10*        16.171    4.27   1.74330    49.3       18.85
11*       178.302    0.50                         18.14
12         13.343    3.54   1.49700    81.5       16.42
13         37.333    0.60   1.84666    23.8       15.11
14         10.979    1.52                         13.44
15         28.967    2.17   1.55332    71.7       13.44
16*       -91.820    1.21                         13.05
17(絞り)    ∞     (可変)                         12.40
18*        66.130    0.80   1.85135    40.1       11.99
19         17.651    1.12   1.80809    22.8       12.34
20         27.246  (可変)                         12.52
21         28.806    3.85   1.69680    55.5       18.34
22        -38.270    2.00                         18.57
23        -25.898    1.20   1.85135    40.1       18.43
24*      -126.060  (可変)                         19.26
25          ∞       1.03   1.51633    64.1       50.00
26          ∞       1.49                         50.00
27          ∞       0.92   1.51633    64.1       50.00
28          ∞       0.50                         50.00
像面        ∞   
【０１０９】
非球面データ
第10面
K = 0.00000e+000  A 4=-3.34204e-006  A 6=-7.97084e-010  A 8= 4.26623e-010  
第11面
K = 0.00000e+000  A 4= 2.28153e-005  A 6= 5.21819e-009  
第16面
K = 0.00000e+000  A 4= 3.04877e-005  A 6= 2.81087e-008  A 8= 1.12344e-008  
第18面
K = 0.00000e+000  A 4=-5.73311e-006  A 6= 2.87882e-007  A 8=-2.76272e-009  
第24面
K = 0.00000e+000  A 4=-7.40763e-006  A 6= 1.08486e-007  A 8=-8.91286e-010  A10= 2.61926e-012  
【０１１０】
各種データ
ズーム比     4.71 
広角     中間     望遠
焦点距離      15.45    31.78    72.80  
Fナンバー      2.06     4.00     5.04  
半画角（度）  35.79    23.26    10.63  
像高          11.14    13.66    13.66  
レンズ全長    89.22    86.34   114.55  
BF(in air)     6.28    17.70    20.68   
d 3            1.04     4.82    29.92  
d 9           26.78     8.66     0.30  
d17            3.00     8.05    10.68  
d20            5.43     2.78     4.14  
d24            7.11    16.18    23.67  
入射瞳位置    24.54    28.36    90.94  
射出瞳位置   -24.54   -35.20   -47.05  
前側主点位置  30.46    31.85    52.29  
後側主点位置 -14.95   -31.28   -72.30  
【０１１１】
ズームレンズ群データ
群  始面    焦点距離  レンズ構成長  前側主点位置  後側主点位置
L1    1      92.95         6.40        -0.58         -4.12
L2    4     -18.52        11.72         0.71         -9.06
L3   10      22.22        13.81        -1.63        -10.98
L4   18     -53.01         1.92         1.71          0.64
L5   21      50.26         8.05        -4.43         -9.48
G    25       ∞           3.45         1.39         -1.39
【０１１２】
単レンズデータ
レンズ  始面  焦点距離
1       1   -198.06
2       2     62.50
3       4    -19.21
4       6    -46.73
5       8     50.93
6      10     23.66
7      12     39.83
8      13    -18.56
9      15     40.05
10      18    -28.50
11      19     58.96
12      21     24.16
13      23    -38.50
14      25      0.00
15      27      0.00
【０１１３】
（数値実施例６）
単位 mm
面データ
面番号       r        d      nd         νd       有効径
1         56.514    1.40   1.92286    18.9       38.50
2         42.943    4.57   1.77250    49.6       37.21
3        227.096  (可変)                         36.64
4       -510.374    1.10   1.85150    40.8       30.64
5         17.564    7.46                         24.35
6        -43.986    0.90   1.72916    54.7       24.01
7     -19884.087    0.30                         24.07
8         40.200    2.23   1.95906    17.5       24.17
9        177.373  (可変)                         23.95
10*        16.740    2.84   1.77250    49.5       14.92
11*        96.620    0.50                         14.43
12         12.646    3.40   1.49700    81.5       13.56
13         36.170    0.60   1.92119    24.0       12.23
14         12.194    1.22                         11.34
15         50.824    1.90   1.55332    71.7       11.31
16*       -43.104    2.57                         11.01
17(絞り)    ∞       3.00                         11.88
18*        73.124    0.80   1.85135    40.1       13.00
19         19.352    1.00   1.80809    22.8       13.00
20         28.960    3.50                         13.00
21         84.348    3.50   1.69680    55.5       16.50
22        -19.712    4.13                         16.95
23        -14.672    1.20   1.85135    40.1       16.91
24*       -36.493  (可変)                         18.44
25          ∞       1.03   1.51633    64.1       50.00
26          ∞       1.49                         50.00
27          ∞       0.92   1.51633    64.1       50.00
28          ∞       0.50                         50.00
像面        ∞   
【０１１４】
非球面データ
第10面
K = 0.00000e+000  A 4= 1.94576e-005  A 6= 6.20163e-008  A 8= 2.01056e-009  A10=-1.98253e-012  
第11面
K = 0.00000e+000  A 4= 3.86041e-005  A 6= 2.71870e-008  
第16面
K = 0.00000e+000  A 4= 7.66946e-005  A 6= 4.20654e-007  A 8= 1.82438e-008  
第18面
K = 0.00000e+000  A 4= 6.43642e-006  A 6= 1.58463e-008  A 8=-5.78829e-010  
第24面
K = 0.00000e+000  A 4=-2.36947e-005  A 6= 6.01058e-008  A 8=-2.25893e-009  A10= 1.34476e-011  
【０１１５】
各種データ
ズーム比     3.96 
広角     中間     望遠
焦点距離      15.96    31.06    63.20  
Fナンバー      2.47     4.12     5.76  
半画角（度）  35.63    23.85    12.49  
像高          11.44    13.73    14.00  
レンズ全長    87.92    86.14   105.87  
BF(in air)     6.28    17.25    24.35 
d 3            1.94     8.98    29.32  
d 9           27.67     9.88     0.30  
d24            6.23    15.21    24.18    
入射瞳位置    26.89    36.15    82.87  
射出瞳位置   -21.46   -30.43   -39.41  
前側主点位置  31.25    36.02    45.99  
後側主点位置 -15.46   -30.56   -62.70  
【０１１６】
ズームレンズ群データ
群  始面    焦点距離  レンズ構成長  前側主点位置  後側主点位置
L1    1     103.93         5.97        -1.44         -4.68
L2    4     -21.41        11.98         0.02        -10.26
L3   10      21.55        30.17        -4.23        -23.76
G    25       ∞           3.45         1.39         -1.39
【０１１７】
単レンズデータ
レンズ  始面  焦点距離
1       1   -203.87
2       2     67.82
3       4    -19.92
4       6    -60.46
5       8     53.77
6      10     25.81
7      12     37.34
8      13    -20.21
9      15     42.46
10      18    -31.13
11      19     68.97
12      21     23.25
13      23    -29.57
14      25      0.00
15      27      0.00
【０１１８】
【表１】
2016126226.tif 000003
【符号の説明】
【０１１９】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
ＬＲ  後群      ＬＲｎ  最も像面側に配置される負レンズ群
ＳＳ  開口絞り      ＩＰ  像面
【図１】
2016126226.tif 000004
【図２】
2016126226.tif 000005
【図３】
2016126226.tif 000006
【図４】
2016126226.tif 000007
【図５】
2016126226.tif 000008
【図６】
2016126226.tif 000009
【図７】
2016126226.tif 000010
【図８】
2016126226.tif 000011
【図９】
2016126226.tif 000012
【図１０】
2016126226.tif 000013
【図１１】
2016126226.tif 000014
【図１２】
2016126226.tif 000015
【図１３】
2016126226.tif 000016